(57)【要約】【課題】  高いフープ応力が負荷される環境で使用しても長寿命で、且つ信頼性の高い転がり軸受を低コストで提供する。【解決手段】  外周面に内輪軌道面４ａを有する内輪２と、内周面に外輪軌道面５ａを有する外輪３と、両軌道面４ａ，５ａの間に転動自在に設けられた複数の転動体６とを備えた転がり軸受１において、内輪２及び外輪３の内の少なくともフープ応力が負荷される側の軌道輪２の軌道面４ａ以外の部分の硬さをＨｖ３５０〜５００とすると共に、軌道面４ａの表面硬さをＨｖ６５３以上とし、且つ軌道輪２に対する第一の熱処理として、芯部まで焼入れ硬化した後高温焼戻しを施し、更に、該軌道輪２の軌道面４ａのみに高周波加熱により第二の熱処理を施す。【選択図】      図１
2005282691.tif 000002
【特許請求の範囲】
【請求項１】
外周面に内輪軌道面を有する内輪と、内周面に外輪軌道面を有する外輪と、前記両軌道面の間に転動自在に設けられた複数の転動体とを備えた転がり軸受において、
前記内輪及び前記外輪の内の少なくともフープ応力が負荷される側の軌道輪の軌道面以外の部分の硬さをＨｖ３５０〜５００とすると共に、前記軌道面の表面硬さをＨｖ６５３以上とし、且つ前記軌道輪に対する第一の熱処理として、芯部まで焼入れ硬化した後高温焼戻しを施し、更に、該軌道輪の前記軌道面のみに高周波加熱により第二の熱処理を施すことを特徴とする転がり軸受。
【請求項２】
外周面に車輪を取り付けるためのフランジを有すると共に第一の内輪軌道面を有する第一の内輪の端部に、外周面に第二の内輪軌道面を有する第二の内輪が一体的に嵌合固定された内方部材と、外周面に懸架装置に支持するためのフランジを有すると共に、内周面に前記第一の内輪軌道面に対向する外輪軌道面及び前記第二の内輪軌道面に対向する外輪軌道面を有して前記内方部材に外挿された外方部材と、前記内方部材の内輪軌道面と前記外方部材の外輪軌道面との間に転動自在に配設された複列の転動体とを備えた車輪支持用軸受装置において、
前記第二の内輪に対する第一の熱処理として、芯部まで焼入れ硬化した後、高温焼戻しを施し、更に、前記第二の内輪軌道面のみに高周波加熱により第二の熱処理を施すことで、該第二の内輪軌道面以外の部分の硬さをＨｖ３５０〜５００、前記第二の内輪軌道面の硬さをＨｖ６５３以上とすると共に、前記第二の内輪の最外形面、又は小外径面を有する場合は該小外径面に作用するフープ応力の大きさを１５０〜３００ＭＰａ以下としたことを特徴とする車輪支持用軸受装置。
【発明の詳細な説明】
【技術分野】
【０００１】
本発明は、フープ応力が負荷される環境で用いられる転がり軸受及び車輪支持用軸受装置に関する。
【背景技術】
【０００２】
通常の転がり軸受の素材としては、軌道面の転がり疲れ寿命を十分に確保するという観点からＳＵＪ２のような高炭素クロム鋼を、熱処理により芯部まで硬化したものが広く用いられている。
通常の転がり軸受が使用される際には、軌道面に繰り返しの圧縮応力が転動体よりかかり、材料内部に対してせん断応力として作用する。従って、転がり軸受の長寿命化は、繰り返しせん断応力による転がり疲労の観点から対策が施されてきた。
【０００３】
ところで、近年、省エネルギーの要求に伴い、自動車等の車輪支持用軸受装置のように、転がり軸受においてもユニット化、モジュール化が進んできている。車輪支持用軸受装置における転がり軸受のユニット化の一例としては次に示すものがある。
即ち、この車輪支持用軸受装置は、外周面に二列の内輪軌道面を有する内方部材と、内周面に該内方部材の内輪軌道面に対向する二列の外輪軌道面を持つ外方部材と、内方部材と外方部材の二列の両軌道面間に設けられた複数の転動体と、該転動体を周方向に略等間隔に配置するための保持器とを備える。また、内方部材は車輪を支持するためのフランジを、外方部材は懸架装置に支持するためのフランジを有する場合が多い。
【０００４】
上記のように構成された車輪支持用軸受装置の場合、内方部材は、外周面にフランジ及び一方の列の内輪軌道面（第一の内輪軌道面）を有するハブ輪（第一の内輪）と、外周面に他方の列の内輪軌道面（第二の内輪軌道面）を有して前記ハブ輪の端部に一体的に嵌合固定される内輪（第二の内輪）とを備えている。ハブ輪及び内輪は、ナットで締付け固定するか、或いはハブ輪の先端部を塑性変形させて内輪の端部に加締めることによって固定するが、部品点数を少なくできる生産性の観点と、小型化、軽量化の観点から考えると、加締めによって固定するほうが有利である。
【０００５】
ハブ輪に内輪を加締めによって固定する場合、クリープ防止のため、ハブ輪に内輪を強固に固定して、ハブ輪と内輪との密着性を良くする必要があるが、加締めによりハブ輪に内輪を強固に固定すると、内輪にフープ応力（円周方向に引張られる応力）が生じる。
車輪支持用軸受装置が使用される際には、ハブ輪側の内輪軌道面よりも内輪側の内輪軌道面の方に高い荷重が負荷されるため、内輪はＳＵＪ２のような高炭素クロム鋼を用い、熱処理により表面から芯部まで硬化させて使用する場合が多い。
【０００６】
また、ハブ輪及び外方部材はフランジを有して複雑な形状をしており、熱間鍛造性、切削性、穴あけ加工性の観点から、０．５重量％程度の炭素を含有する中炭素鋼を用い、高周波焼入れによって軌道面周辺を硬化させて使用する場合が多い。
車輪支持用軸受装置の長寿命化も通常の転がり軸受と同様に繰り返しせん断応力による転がり疲労の観点に基づいている。このような観点から、車輪支持用軸受装置の寿命を向上させるため、内輪を浸炭鋼で形成した上、浸炭処理を施した車輪支持用軸受装置が開示されている（例えば特許文献１参照）。
【特許文献１】特開２００２−２１８５８号公報
【発明の開示】
【発明が解決しようとする課題】
【０００７】
ところで、通常の転がり軸受においては、軸と内輪との嵌合が強い場合には、内輪に転動体からの繰り返しせん断応力に加えフープ応力が負荷される。
また、車輪支持用軸受装置においても、内輪側の内輪軌道面に転動体からの繰り返しせん断応力に加え、上述した加締めによりフープ応力が負荷される。
このようにフープ応力が負荷される環境で用いられる転がり軸受において、更なる長寿命化を実現するためには、繰り返しせん断応力による転がり疲労の観点に加え、フープ応力に対する対策を施す必要があり、また、上記特許文献１のように、浸炭や浸炭窒化処理を施すと加工に時間がかかり加工コストが高くつく。
本発明はこのような技術的背景に鑑みてなされたものであり、高いフープ応力が負荷される環境で使用しても長寿命で、且つ信頼性の高い転がり軸受及び車輪支持用軸受装置を低コストで提供することを目的とする。
【課題を解決するための手段】
【０００８】
上記目的を達成するために、請求項１に係る発明は、外周面に内輪軌道面を有する内輪と、内周面に外輪軌道面を有する外輪と、前記両軌道面の間に転動自在に設けられた複数の転動体とを備えた転がり軸受において、
前記内輪及び前記外輪の内の少なくともフープ応力が負荷される側の軌道輪の軌道面以外の部分の硬さをＨｖ３５０〜５００とすると共に、前記軌道面の表面硬さをＨｖ６５３以上とし、且つ前記軌道輪に対する第一の熱処理として、芯部まで焼入れ硬化した後高温焼戻しを施し、更に、該軌道輪の前記軌道面のみに高周波加熱により第二の熱処理を施すことを特徴とする。
【０００９】
高フープ応力が負荷される環境においても長寿命とするには、フープ応力が負荷される側の軌道輪の靭性を向上させることが有効であり、このフープ応力は、特に、上述した車輪支持用軸受装置の例のように、軌道輪（内方部材の内輪）がユニットの一部として使用される場合に生じやすいと考えられる。
本発明では、内輪及び外輪の内の少なくともフープ応力が負荷される側の軌道輪の軌道面以外の部分の硬さをＨｖ３５０〜５００とすることで該軌道輪の靭性を優れたものとすることができ、これにより、高フープ応力が負荷される環境で使用しても長寿命な転がり軸受とすることができる。
【００１０】
軌道輪の軌道面以外の部分の硬さがＨｖ５００を超えると、十分な靭性が得られず、一方、Ｈｖ３５０未満であると、耐摩耗性が低下する虞れがある。
また、軌道輪は、軌道面以外の部分の硬さをＨｖ４５０以下とすることでさらに優れた靭性を有する。従って、高フープ応力が負荷される環境で使用しても、さらに長寿命な転がり軸受とするには、軌道輪の軌道面以外の部分の硬さをＨｖ３５０〜４５０とすることが好ましい。
【００１１】
軌道輪の軌道面には転動体からの繰り返しせん断応力が負荷されることから、前記軌道面の表面硬さを大きくして転がり寿命を確保するために、軌道輪の軌道面の表面硬さをＨｖ６５３以上とした。
軌道輪の軌道面の表面硬さがＨｖ６５３未満であると、硬さが不足するため、転がり寿命が低下する。
また、軌道輪に対する第一の熱処理として、芯部まで焼入れ硬化した後高温焼戻しを施し、更に、該軌道輪の前記軌道面のみに高周波加熱により第二の熱処理を施すことで、フープ応力が負荷される側の軌道輪の軌道面以外の部分、及び該軌道面の硬さを所定の範囲に安定して収めることができ、しかも、浸炭や浸炭窒化処理を行わないので、加工時間が短くて済み、加工コストを安くすることができる。
【００１２】
請求項２に係る発明は、外周面に車輪を取り付けるためのフランジを有すると共に第一の内輪軌道面を有する第一の内輪の端部に、外周面に第二の内輪軌道面を有する第二の内輪が一体的に嵌合固定された内方部材と、外周面に懸架装置に支持するためのフランジを有すると共に、内周面に前記第一の内輪軌道面に対向する外輪軌道面及び前記第二の内輪軌道面に対向する外輪軌道面を有して前記内方部材に外挿された外方部材と、前記内方部材の内輪軌道面と前記外方部材の外輪軌道面との間に転動自在に配設された複列の転動体とを備えた車輪支持用軸受装置において、
前記第二の内輪に対する第一の熱処理として、芯部まで焼入れ硬化した後、高温焼戻しを施し、更に、前記第二の内輪軌道面のみに高周波加熱により第二の熱処理を施すことで、該第二の内輪軌道面以外の部分の硬さをＨｖ３５０〜５００、前記第二の内輪軌道面の硬さをＨｖ６５３以上とすると共に、前記第二の内輪の最外形面、又は小外径面を有する場合は該小外径面に作用するフープ応力の大きさを１５０〜３００ＭＰａ以下としたことを特徴とする。
【００１３】
前記内方部材の内で第二の内輪の最外形面、又は小外径面を有する場合は該小外径面に作用するフープ応力の大きさを３００ＭＰａ以下とすることで、信頼性をより高めることができ、更に信頼性の高い車輪支持用軸受装置とするには２６０ＭＰａ以下とすることが好ましい。
一方、前記内方部材の内で第二の内輪の最外形面、又は小外径面を有する場合は該小外径面に作用するフープ応力の大きさが１５０ＭＰａ未満であると、前記内方部材の第一の内輪と第二の内輪との密着性が十分に得られず、クリープ、がたつき及び乗り上げ等が生じ転がり寿命が低下する虞れがある。
【００１４】
また、前記第二の内輪に対する第一の熱処理として、芯部まで焼入れ硬化した後、高温焼戻しを施し、更に、前記第二の内輪軌道面のみに高周波加熱により第二の熱処理を施した場合は、浸炭等に比べて短時間で第二の内輪軌道面以外の部分の表面硬さをＨｖ３５０〜５００にできるので、信頼性が高く、低コストでフープ応力に対応できる内輪とすることができる。
【発明の効果】
【００１５】
本発明によれば、高フープ応力が負荷される側の軌道輪の靭性を優れたものとすることができると共に、該軌道輪の軌道面についても最適な表面硬さを確保することができ、しかも浸炭や浸炭窒化処理を行わなくて済むため、高フープ応力が負荷される環境で使用しても、長寿命で、且つ信頼性の高い転がり軸受を低コストで提供することができる。
【発明を実施するための最良の形態】
【００１６】
以下、本発明の実施の形態を図を参照して説明する。図１は本発明の実施の形態の一例である玉軸受を説明するための部分縦断面図、図２は本発明の他の実施の形態である車輪支持用軸受装置を説明するための部分縦断面図、図３は内輪の変形例を示す断面図、図４は車輪支持用軸受装置の内輪の軌道面以外の部分の硬さと転がり疲労寿命との相関を示すグラフ図、図５は車輪支持用軸受装置の内輪のフープ応力と転がり寿命との関係を示すグラフ図である。
【００１７】
本発明に実施の形態の一例である玉軸受（転がり軸受）１は、図１に示すように、外周面に内輪軌道面４ａを有する内輪２と、内周面に外輪軌道面５ａを有する外輪３と、両軌道面４ａ，５ａの間に転動自在に設けられた複数の転動体６とを備える。
内輪２、外輪３及び転動体６はＳＵＪ２で形成されており、外輪３及び転動体６は芯部まで焼入れ硬化されている。
【００１８】
ここで、この実施の形態では、内輪２を回転輪、外輪３を固定輪としてフープ応力が負荷される側の軌道輪を内輪２とし、内輪２に対する第一の熱処理として、８００〜９００°Ｃから選択される所定の温度で加熱保持後、油焼入れして芯部まで焼入れ硬化し、４００〜６００°Ｃから選択される所定の温度で高温焼戻しを行った後、内輪軌道面４ａのみに高周波誘導加熱により第二の熱処理が施して軌道面４ａ以外の部分よりも硬さが大きい硬化層７を形成し、これにより、軌道面４ａ以外の部分の硬さをＨｖ３５０〜５００（好ましくはＨｖ３５０〜４５０）として内輪２の靭性を優れたものとすると共に、軌道面４ａの表面硬さをＨｖ６５３以上としている。
【００１９】
このようにこの実施の形態では、高フープ応力が負荷される側の軌道輪である内輪２の靭性を優れたものとすることができると共に、該内輪２の軌道面４ａについても最適な表面硬さを確保することができ、しかも浸炭や浸炭窒化処理を行わなくて済むため、内輪２と軸との嵌合が強く、内輪２に高フープ応力が負荷される環境で使用しても、長寿命で、且つ信頼性の高い玉軸受１を低コストで提供することができる。
【００２０】
次に、図２を参照して、本発明の他の実施の形態であるユニット化された転がり軸受を備えた車輪支持用軸受装置を説明する。
この車輪支持用軸受装置１０は、図２に示すように、内方部材としてのハブ輪（第一の内輪）１２、内輪（第二の内輪）１３、外方部材としての外輪１４及び複数の転動体１５を備えており、図においてハブ輪１２の左端側外周部には、車輪を固定するための車輪支持用フランジ１６が設けられている。
ハブ輪１２の右端部には小径段部１８が形成されており、該小径段部１８に内輪１３が嵌め込まれている。また、ハブ輪１２の右端部は円筒状に形成されており、該円筒部１９を径方向外方に広げて内輪１３の端部に加締めることにより、ハブ輪１２と内輪１３とが一体的に固定されている。
【００２１】
ハブ輪１２の外周面の軸方向中間部及び内輪１３の外周面には、それぞれ軌道面が形成され、内輪軌道面１７ａ，１７ｂとされている。また、外輪１４の内周面には前記両内輪軌道面１７ａ，１７ｂに対応する外輪軌道面２０ａ，２０ｂが形成されている。外輪１４の外周面には、車輪支持用フランジ１６から離間する側の端部に、懸架装置支持用フランジ１１が設けられている。更に、内輪軌道面１７ａ，１７ｂと外輪軌道面２０ａ，２０ｂとの間には、それぞれ複列の転動体１５が転動自在に配列されている。
【００２２】
なお、図２の例では、内輪１３は小外径面２２を持つが、図３に示すように、小外径面を持たないものを内輪１３に用いても良い。また、転動体１５として玉を使用しているが、重量の嵩む車輪支持用軸受装置の場合には、転動体１５としてテーパころを使用する場合もある。
この車輪支持用軸受装置１０において、ハブ輪１２、内輪１３及び外輪１４の材質は特に限定されないが、内輪１３側の内輪軌道面１７ｂの転がり疲れ寿命を十分に確保するためには、内輪１３を形成する金属材料として炭素量が０．５〜１．１重量％の材料を用いることが好ましい。炭素量が０．５重量％以上であれば、内部と表面に最適な硬さを得ることができ、１．１重量％以下であれば大きな炭化物の発生を防止することができる。
【００２３】
なお、最適な硬さを容易に得て転がり寿命を向上させるためには、内輪１３を形成する金属材料としてＳＵＪ２等の高炭素クロム鋼を用いることがより好ましい。
また、ハブ輪１２及び外輪１４はそれぞれ車輪支持用フランジ１６及び懸架装置支持用フランジ１１を有して複雑な形状をしており、熱間鍛造性、切削性、穴あけ加工性等が求められるため、これらを形成する金属材料として０．５重量％程度の炭素を含有する中炭素鋼を用いることが好ましい。
【００２４】
転動体１５として玉を使用する場合、ＳＵＪ２等の高炭素クロム鋼製のもの、あるいは高炭素クロム鋼製で表面に浸炭窒化処理を施したものを用いることが好ましい。
ハブ輪１２の外周面には、車輪支持用フランジ１６の付け根部から小径段部１８にかけて誘導加熱装置によって高周波焼入れされた硬化層２４が形成されている。
このような車輪支持用軸受装置１を自動車等に組み付けるには、外輪１４の懸架装置支持用フランジ１１を懸架装置に固定し、ハブ輪１２の車輪支持用フランジ１６に車輪を固定し、これにより、車輪を懸架装置に対して回転自在に支持することができる。
【００２５】
ここで、この実施の形態では、フープ応力が負荷される側の軌道輪をハブ輪１２の小径段部１８に嵌合された内輪１３とし、内輪１３に対する第一の熱処理として、８００〜９００°Ｃから選択される所定の温度で加熱保持後、油焼入れして芯部まで焼入れ硬化し、４００〜６００°Ｃから選択される所定の温度で高温焼戻しを行った後、内輪軌道面１７ｂのみに高周波誘導加熱により第二の熱処理が施して軌道面１７ｂ以外の部分よりも硬さが大きい硬化層２５を形成し、これにより、軌道面１７ｂ以外の部分の硬さをＨｖ３５０〜５００（好ましくはＨｖ３５０〜４５０）として内輪１３の靭性を優れたものとすると共に、軌道面１７ｂの表面硬さをＨｖ６５３以上としている。
【００２６】
この場合、軌道面１７ｂのＨｖ６５３である深さは０．５ｍｍ以上、Ｈｖ５００である深さは１．５ｍｍ以上であることがより好ましい。
また、内輪１３の最外形面２３、又は小外径面を有する場合は小外径面２２に加締め後に作用するフープ応力は１５０〜３００ＭＰａ（より好ましくは１５０〜２６０ＭＰａ）とすることが好ましい。
このようにこの実施の形態では、高フープ応力が負荷される側の軌道輪である内輪１３の靭性を優れたものとすることができると共に、該内輪１３の軌道面１７ｂについても最適な表面硬さを確保することができ、しかも浸炭や浸炭窒化処理を行わなくて済むため、内輪１３に高フープ応力が負荷される環境で使用しても、長寿命で、且つ信頼性の高い車輪支持用軸受装置１０を低コストで提供することができる。
【００２７】
なお、本発明は上記各実施の形態に限定されるものではなく、本発明の要旨を逸脱しない範囲において適宜変更可能である。
例えば、上記各実施の形態では、フープ応力が負荷される側の軌道輪として内輪を例に採って本発明を適用した場合を説明したが、必ずしもこのようにする必要はなく、フープ応力が負荷される側の軌道輪を外輪、或いは内輪及び外輪の両方として本発明を適用してもよい。
【実施例】
【００２８】
（第一の実施例）
図２と略同一構造の車輪支持用軸受装置を製作した。外輪１４及びハブ輪１２は、炭素を０．５０〜０．６０重量％含有する鋼を用いた。また、転動体１５は軸受鋼ＳＵＪ２を用いて転動体ピッチ径を４９ｍｍとし、保持器は樹脂製保持器を用いた。
内輪１３は軸受鋼ＳＵＪ２を用い、第一の熱処理として、８２０〜８４０°Ｃで加熱保持後油焼入れして芯部まで焼入れ硬化し、その後、種々の温度で焼戻しを行い、更に、内輪１３の内輪軌道面１７ｂのみに高周波加熱により第二の熱処理を施し、内輪１３の軌道面１７ｂ以外の部分の硬さ及び内輪軌道面１７ｂの表面硬さを調整した。
表１に本発明例である実施例１〜９と比較例１〜６について、内輪３の内輪軌道面７ｂ以外の部分の硬さ及び内輪軌道面７ｂの表面硬さを示す。
【００２９】
【表１】
2005282691.tif 000003
【００３０】
製作した車輪支持用軸受装置について、次の条件で回転試験を行った（外輪１４を固定側、内輪１３を回転側とした）。
ラジアル荷重：６５００Ｎ
アキシアル荷重：３９００Ｎ
回転速度：１０００ｍｉｎ-1
なお、内輪１３をハブ輪１２に加締めにより固定する際、加締めの荷重を調整し、内輪１３に４００ＭＰａのフープ応力を負荷した。
車輪支持用軸受装置の寿命は、回転試験機に取り付けた振動計の値が試験開始時の３倍になった時点とし、内輪１３に負荷するフープ応力は内輪１３の小外径面２２（図２参照）にかかるフープ応力を歪ゲージを用いて測定した。なお、内輪３が小外径面２２を有さない場合は、最外形面２３（図３参照）に生じるフープ応力を同様の方法で測定すればよい。
【００３１】
試験結果を表１及び図４に示す。なお、表１及び図３に示した転がり寿命の数値は、比較例１の転がり寿命を１．０とした場合の相対値で示してある。
表１及び図４から明らかなように、本発明例である実施例１〜１１は、内輪１３の軌道面１７ｂ以外の部分の硬さ及び内輪軌道面１７ｂの表面硬さが、本発明で規定する所定の範囲内であるため、高フープ応力が負荷される側の軌道輪である内輪１３の靭性を優れたものとすることができると共に、該内輪１３の軌道面１７ｂについても最適な表面硬さを確保することができ、高フープ応力が負荷される環境においても転がり寿命が良好である。また、内輪１３の軌道面１７ｂ以外の部分の硬さをＨｖ３５０〜４５０も実施例３〜１１については、内輪１３の靭性が特に優れ、さらに優れた転がり寿命であった。
一方、比較例１及び比較例２は内輪１３の軌道面１７ｂ以外の部分の硬さが、本発明で規定する所定の範囲より大きく、本発明で意図する効果が得られなかったため、転がり寿命が短かった。
【００３２】
比較例３及び比較例４は内輪１３の軌道面１７ｂ以外の部分の硬さが、本発明で規定する所定の範囲より低く、耐摩耗性が不十分であるため、ハブ輪１２と内輪１３との嵌合面にクリープを生じ、寿命が短かった。
また、比較例５及び比較例６は、内輪１３の軌道面１７ｂ以外の部分の硬さは本発明の所定の範囲内であるが、内輪軌道面１７ｂの表面硬さが本発明の所定の範囲より低く、転動体１５からの繰り返しせん断応力に耐えられず、短寿命であった。
【００３３】
（第二の実施例）
第一の実施例と略同様の車輪支持用軸受装置を作成し、回転試験を行った。なお、第一の実施例と同じ部分は記載を省略し、異なる部分のみを説明する。
４００〜６００°Ｃから選択された所定の温度で焼戻しを行い、内輪１３の第二の内輪軌道面１７ｂ以外の部分の硬さをＨｖ４００前後、第二の内輪軌道面１７ｂの硬さをＨｖ７２０前後となるように調整した。
転がり寿命に対するフープ応力の影響を調べるために、表２に示すように、内輪１３の小外径面２２に作用するフープ応力を、加締め荷重を調整することで変化させ、転がり試験を行った。
試験結果を表２及び図５に示す。なお、表２及び図５に示した転がり寿命の数値は、表１の比較例１の転がり寿命を１とした場合の相対値で示してある。
【００３４】
【表２】
2005282691.tif 000004
【００３５】
表２及び図５から明らかなように、実施例１〜７は、内輪１３の小外径面２２に作用するフープ応力が本発明の請求項２で規定する範囲とされているため、転がり寿命が良好である。特に、実施例１〜５はフープ応力が比較的小さくより長寿命であった。従って、内輪１３の小外径面２２に作用するフープ応力を１５０〜２６０ＭＰａとすることで、更に信頼性の高い車輪支持用軸受装置とすることができる。
一方、実施例８は内輪１２と内輪１３との密着性が不十分であり、クリープを生じ、実施例１〜７よりも転がり寿命が短かった。また、実施例９〜１２は内輪１３の小外径面２２に作用するフープ応力が大きいために、実施例１〜７と比較して転がり寿命が短かった。
【図面の簡単な説明】
【００３６】
【図１】本発明の実施の形態の一例である玉軸受を説明するための部分縦断面図である。
【図２】本発明の他の実施の形態である車輪支持用軸受装置を説明するための部分縦断面図である。
【図３】内輪の変形例を示す断面図である。
【図４】車輪支持用軸受装置の内輪の軌道面以外の部分の硬さと転がり疲労寿命との相関を示すグラフ図である。
【図５】車輪支持用軸受装置の内輪のフープ応力と転がり寿命との関係を示すグラフ図である。
【符号の説明】
【００３７】
１    玉軸受
２    内輪
３    外輪
４ａ  内輪軌道面
５ａ  外輪軌道面
６    転動体
７    硬化層
１０    車輪支持用軸受装置
１１    懸架装置支持用フランジ
１２    ハブ輪（第一の内輪）
１３    内輪（第二の内輪）
１４    外輪（外方部材）
１５    転動体
１６    車輪支持用フランジ
１７ａ  内輪軌道面
１７ｂ  内輪軌道面
１８    小径段部
１９    円筒部
２０ａ  外輪軌道面
２０ｂ  外輪軌道面
２２    小外径面
２３    最外形面
２４    硬化層（ハブ輪１２側）
２５    硬化層（内輪１３側）
【図１】
2005282691.tif 000005
【図２】
2005282691.tif 000006
【図３】
2005282691.tif 000007
【図４】
2005282691.tif 000008
【図５】
2005282691.tif 000009